(57)【要約】  【課題】  撮影ポジションの変更が可能な撮影装置において、各撮影ポジジョンに適した撮影モードでの撮影を、オペレータの負担が少なく、かつできるだけ早く開始する。  【解決手段】  撮影ポジションの変更が可能な撮影装置を制御する撮影制御システムは、撮影ポジションに応じた撮影装置の撮影モードを記憶するモード記憶手段４４と、撮影ポジションの変更に際して、撮影モードを、モード記憶手段に記憶された変更先の撮影ポジションに応じた撮影モードに変更するモード変更手段４３とを有する。【選択図】  図４
2006148353.tif 000002
【特許請求の範囲】
【請求項１】
撮影ポジションの変更が可能な撮影装置を制御する撮影制御システムであって、
前記撮影ポジションに応じた前記撮影装置の撮影モードを記憶するモード記憶手段と、
前記撮影ポジションの変更に際して、前記撮影モードを、前記モード記憶手段に記憶された変更先の撮影ポジションに応じた撮影モードに変更するモード変更手段とを有することを特徴とする撮影制御システム。
【請求項２】
前記モード変更手段は、前記撮影ポジションの変更動作中に前記撮影モードの変更を開始することを特徴とする請求項１に記載の撮影制御システム。
【請求項３】
前記モード変更手段は、前記撮影ポジションの変更動作中に前記撮影モードの変更を完了することを特徴とする請求項１又は２に記載の撮影制御システム。
【請求項４】
前記モード変更手段は、前記撮影モードを、光学フィルタを用いて撮影を行う第１の撮影モードと、該光学フィルタを用いずに撮影を行う第２の撮影モードとに切り換えることを特徴とする請求項１から３のいずれか１つに記載の撮影制御システム。
【請求項５】
前記光学フィルタは、波長選択フィルタであることを特徴とする請求項４に記載の撮影制御システム。
【請求項６】
前記モード記憶手段は、前記撮影ポジションと時刻情報とに応じた前記撮影モードを記憶し、
前記モード変更手段は、前記撮影ポジションの変更に際して、前記撮影モードを、前記モード記憶手段に記憶された変更先の撮影ポジションと、該変更時の時刻情報又は該変更時の時刻情報に対して所定の関係を有する時刻情報とに応じた撮影モードに変更することを特徴とする請求項１から５のいずれか１つに記載の撮影制御システム。
【請求項７】
前記撮影モードとして、前記撮影装置の出力信号から得られる輝度情報に基づいて前記撮影モードを変更するモードを含むことを特徴とする請求項１から６のいずれか１つに記載の撮影制御システム。
【請求項８】
複数の前記撮影ポジションを記憶するポジション記憶手段と、
前記撮影ポジションの変更指令に応じて、前記撮影装置を前記ポジション記憶手段に記憶された撮影ポジションに駆動するポジション変更手段とを有することを特徴とする請求項１から７のいずれか１つに記載の撮影制御システム。
【請求項９】
前記撮影装置は、監視用カメラであることを特徴とする請求項１から８のいずれか１つに記載の撮影制御システム。
【請求項１０】
請求項１から９のいずれか１つに記載の撮影制御システムと、
該撮影制御システムにより制御される撮影装置とを有することを特徴とする撮影システム。
【請求項１１】
撮影ポジションの変更が可能な撮影装置を制御する撮影制御プログラムであって、
コンピュータに、
前記撮影ポジションに応じた前記撮影装置の撮影モードを記憶するステップと、
前記撮影ポジションの変更に際して、前記撮影モードを、前記記憶された変更先の撮影ポジションに応じた撮影モードに切り換えるステップとを実行させることを特徴とする撮影制御プログラム。
【請求項１２】
複数の撮影ポジションでの撮影が可能な撮影装置であって、
第１の撮影ポジションから第２の撮影ポジションへの撮影ポジション変更を行う手段と、
前記撮影ポジション変更に際して、前記第１の撮影ポジションに対応させて記憶された第１の撮影モードから前記第２の撮影ポジションに対応させて記憶された第２の撮影モードへの撮影モード変更を行う手段とを有することを特徴とする撮影装置。
【発明の詳細な説明】
【技術分野】
【０００１】
本発明は、撮影方向やズーム位置等の撮影ポジションの変更が可能な撮影装置の制御システムに関し、さらに詳しくは、撮影装置の撮影モード切換を制御するシステムに関する。
【背景技術】
【０００２】
カラー画像は形や明るさの情報だけではなく、色情報をも得られるため、モノクロ画像と比較して撮影対象の識別性が格段に優れている。このため、防犯、設備保守、介護等の監視用途を含めて、ほとんどの用途のカメラでカラー画像の撮影が行われる。
【０００３】
カラー撮影を行うカメラには、通常、赤外カットフィルタが用いられ、近赤外域（λ＝約７００ｎｍ以上）の光による色バランスの低下を防止して、高い色再現性を得ている。
【０００４】
ただし、暗い被写体の撮影を行う場合に、撮像素子からのカラー画像信号を大きく増幅するとノイズの多い画像となってしまい、被写体の輪郭や形状が不明瞭な画像が得られてしまう。このため、低照度下では、色情報を破棄して輝度信号のみ有するモノクロ画像を得るようにするとともに、赤外カットフィルタを除去して近赤外域の光も輝度情報に加えることで被写体の輪郭や形状をより鮮明にする所謂ナイトモードでの撮影が行われる場合がある（特許文献１参照）。
【０００５】
一方、監視用途では、ズーム機能を有するカメラを、パンニング（水平回転）およびチルティング（垂直回転）可能な雲台に搭載して、１台のカメラで所望の範囲の被写体を撮影できる所謂ＰＴＺ（Ｐａｎ−Ｔｉｌｔ−Ｚｏｏｍ）カメラシステムが用いられている。そして、このようなＰＴＺカメラシステムにも、上述したナイトモード機能が搭載され始めている。
【０００６】
また、ＰＴＺカメラシステムでは、予め所望の撮影ポジション(パン位置、チルト位置、ズーム位置)を複数記憶させておき、必要に応じて記憶された撮影ポジションを指定することによって又は各撮影ポジションを巡回的に自動指定することによって該指定ポジションでの撮影に素早くかつ確実に移行させる所謂プリセット機能を有していることが多い(特許文献２参照)。
【特許文献１】特開２００１−４５５１２号公報(段落００２８〜００３２、図４等)
【特許文献２】特開平４−３２３９９０号公報(段落００１９、図１等)
【発明の開示】
【発明が解決しようとする課題】
【０００７】
ＰＴＺカメラシステムにおいては、撮影画像の欠損を可能な限り防ぎ、監視対象を常時明確に撮影できることが必要である。しかしながら、カラー撮影モードとモノクロ撮影モード(ナイトモード)との遷移時には、赤外カットフィルタやダミーガラスの移動に伴ってフィルタ枠やフィルタエッジが撮影光路を通過するために、画面の部分的欠損や乱れが発生する。
【０００８】
さらに、ＰＴＺカメラシステムにおいては、撮影ポジションの変更によって被写体の明るさが大きく変化する場合もあり、撮影モードの切り換えを頻繁に行う必要も生ずる。このような場合、撮影ポジションの切り換え毎にオペレータが被写体の明るさを判断して撮影モードを切り換えるのでは、オペレータにとって負担が大きい。
【０００９】
なお、上記特許文献１には、撮像素子の出力信号から得られた輝度情報に基づいてカラー撮影モードとナイトモードとを自動的に切り換える技術が提案されているが、ＰＴＺカメラシステムにおいて撮影ポジションが変更された後に、輝度情報を得て撮影モードの切り換えを開始するのでは、変更された撮影ポジションでの良好な撮影の開始が遅くなる。
【００１０】
本発明は、撮影ポジションの変更が可能な撮影装置において、各撮影ポジジョンに適した撮影モードでの撮影を、オペレータの負担が少なく、かつできるだけ早く開始することができるようにした撮影制御システムおよび撮影制御プログラムを提供することを目的の１つとしている。
【課題を解決するための手段】
【００１１】
１つの観点としての本発明は、撮影ポジションの変更が可能な撮影装置を制御する撮影制御システム(撮影制御プログラム)であって、撮影ポジションに応じた撮影装置の撮影モードを記憶するモード記憶手段(ステップ)と、撮影ポジションの変更に際して、撮影モードを、モード記憶手段に記憶された変更先の撮影ポジションに応じた撮影モードに変更するモード変更手段(ステップ)とを有する。
【発明の効果】
【００１２】
本発明によれば、予め撮影ポジションに応じた撮影モードを記憶させておき、撮影ポジションの変更に際して自動的に撮影モードが切り換えられるので、撮影モード選択のための輝度判定を行う必要がなくなり、また撮影ポジションの変更動作中に撮影モードの切り換えを開始することも可能となる。したがって、撮影ポジションの変更後、素早く最適な撮影モードでの撮影を開始することができる。
【発明を実施するための最良の形態】
【００１３】
【実施例１】
【００１４】
図１には、本発明の撮影制御システムによって制御される撮影装置の外観を示している。該撮影装置は、カメラ本体１と、このカメラ本体１を垂直回転（以下、チルトという）および水平回転（以下、パンという）可能に支持する雲台とにより構成されている。該撮影装置と撮影制御システムとにより撮影システムが構成される。
雲台は、チルト基台２とパン基台４とを有する。カメラ本体１は、チルト基台２にチルト軸３を中心としてチルト可能に支持されている。チルト基台２は、パン基台４に対し、パン軸５を中心としてパン可能に支持されている。
【００１５】
６はサーボモータやＤＣモータなどのアクチュエータからなるチルト駆動部であり、チルト基台２に取り付けられている。チルト駆動部６は、その出力軸に取り付けられたウォーム７を回転させ、さらにチルト軸３に取り付けられたホイール８を回転させることで、カメラ本体１をチルト駆動する。
９はサーボモータやＤＣモータなどのアクチュエータからなるパン駆動部であり、パン基台４に取り付けられている。パン駆動部９は、その出力軸に取り付けられたウォーム１０を回転させ、さらにパン軸５に取り付けられたホイール１１を回転させることで、チルト基台２をパン駆動する。
【００１６】
このようにカメラ本体１がチルトおよびパン駆動されることにより、カメラ本体１に設けられた撮影レンズ１５の向き、すなわち撮影方向が変化する。
【００１７】
図２には、カメラ本体１の構成を模式的に示している。最も物体側のレンズ１５ａから入射した光は、変倍レンズ１６、可変絞り１７、固定レンズ１８、フォーカスレンズ１９および透過波長選択フィルタ２０又は平行平面ガラス２１を介して、ＣＣＤセンサやＣＭＯＳセンサ等の固体撮像素子２２上に到達する。固体撮像素子２２の受光面には、ＲＧＢ等の色フィルタが画素単位で設けられており、該撮像素子２２から出力される信号には色情報が含まれる。固体撮像素子２２には、該撮像素子２２から出力された信号に対して所定の処理を行って画像を生成する信号処理部３０が電気的に接続されている。
【００１８】
変倍レンズ１６は、ステップモータ等のアクチュエータからなるズーム駆動部２３によって項軸方向に駆動され、撮影画角を変化させる。
【００１９】
可変絞り１７は、ＤＣモータ、ステップモータやガルバノメータなどのアクチュエータからなる絞り駆動部２４によって駆動され、絞り開口の面積を変化させることで入射光量を調節する。
【００２０】
フォーカスレンズ１９は、ステップモータ等のアクチュエータからなるフォーカス駆動部２５によって光軸方向に駆動され、被写体に対するフォーカス合わせを行う。なお、フォーカス駆動部２５の制御は、コントラスト検出方式など公知の焦点検出方法により行われる。
【００２１】
赤外光吸収フィルタなどの波長選択フィルタ（透過波長選択手段）２０および平行平面ガラス２１は、ステップモータやソレノイド等のアクチュエータからなるフィルタ駆動部２６によって光軸直交方向に駆動され、撮影光路内に対して選択的に挿入および取り出しがなされる。なお、波長選択フィルタ２０は、赤外光吸収フィルタだけではなく、赤外光を反射する反射膜を蒸着したものを用いてもよい。また、入射光の吸収や反射の波長域は、通常６００ｎｍから７５０ｎｍの間でカット開始波長が設定されるが、仕様に応じてこれを更に短波長側や長波長側に設定することも可能である。また、平行平面ガラス２１は、波長選択フィルタ２０が撮影光路内に挿入された場合と同じ光路長を保つための厚みを有している。
【００２２】
図３には、固体撮像素子２２からの出力信号を処理する信号処理部３０の構成を示している。固体撮像素子２２から出力される信号は、アナログ信号処理部３１、Ａ／Ｄ変換回路３２、ＤＳＰ３３および画像信号出力部３４での信号処理を経て、モニタ３７に表示されたり、ハードディスク、半導体メモリ等の画像記録装置３８に記録されたりする。
【００２３】
アナログ信号処理部３１は、固体撮像素子２２から出力される信号に対して、ノイズ除去、ゲイン調整、プリニー処理等の所定のアナログ処理を施す。
【００２４】
Ａ／Ｄ変換回路３２は、アナログ信号処理部３１からのアナログ信号をデジタル信号に変換する。
【００２５】
ＤＳＰ３３は、デジタル信号の処理を行うプロセッサであり、Ａ／Ｄ変換回路３２からのデジタル信号に所定の処理を施して画素毎の輝度信号と色信号を生成して出力する。
【００２６】
画像信号出力部３４は、ＤＳＰ３３からの出力信号を利用して、カラービデオ信号又はモノクロビデオ信号を生成して出力する。
【００２７】
タイミングジェネレータ(Ｔ／Ｇ)３６は、信号処理制御部３５の制御を受けて固体撮像素子２２からの信号の読み出しタイミングを決める信号を出力して、アナログ信号処理部３１以下の処理系との同期や、所謂電子シャッタ速度といわれる電荷蓄積時間の制御等を行う。
【００２８】
信号処理制御部３５は、所定のプログラムによって動作するマイクロプロセッサ等で構成される。上記構成は、全て信号処理制御部３５によって統合的に動作制御が行われる。また、信号処理制御部３５は、ＤＳＰ３３で生成された輝度信号のモニタ結果に基づいて、被写体の明るさを判定し、撮影画像の明るさを調整するために、必要に応じて、アナログ信号処理部３１におけるゲイン調整を行ったり、タイミングジェネレータ３６の制御による固体撮像素子２２の電荷蓄積時間の制御を行ったり、絞り制御部４４を介して可変絞り１７の制御を行ったりする。
さらに、信号処理制御部３５は、撮影モード制御部４３からの撮影モード切り換え指令に基づいて、ＤＳＰ３３において色信号を生成するか否かの切り換えを行う。ＤＳＰ３３において色信号が生成される場合には画像はカラー画像として処理され、そうでない場合には輝度信号のみのモノクロ画像として処理されて出力される。
【００２９】
図４には、撮影装置全体の制御を行う撮影制御システムの中核をなすカメラ制御部４０の構成を示している。カメラ制御部４０は、所定のプログラムによって動作するコンピュータやマイクロプロセッサ等で構成される。カメラ制御部４０は、撮影装置に対して電気ケーブルで接続されてもよいし、インターネット、イーサネット(登録商標)、ＬＡＮ等のネットワークを介して接続されていてもよい。また、前述した信号処理部３０と同一のプロセッサ内にカメラ制御部４０を構成することも可能である。
ＰＴＺ制御部(ポジション変更手段)４２は、前述したチルト駆動部６、パン駆動部９およびズーム駆動部２３に電気的に接続され、図示しないエンコーダやポテンションメータ等の位置検知器により検出された回転角と回転数に基づいてパンおよびチルトの角度を検出することでカメラ本体１の方向、すなわち撮影方向をモニタする。また、同様に変倍レンズ１６の位置を検知することで、ズーム位置ないし撮影画角（倍率）をモニタしている。
ここで、パン角度、チルト角度および撮影画角(ズーム位置)の組み合わせを撮影ポジション又は撮影範囲という。
また、ＰＴＺ制御手部４２に対して操作入力部４１を通じてオペレータによりパン角度、チルト角度および撮影画角のアドレスが入力されることで、ＰＴＺ制御手部４２はチルト駆動部６、パン駆動部９およびズーム駆動部２３を制御し、撮影ポジションを該アドレスに対応した撮影ポジションに変更する。
なお、チルト駆動部６およびパン駆動部９にステップモータを使用し、これとリセットセンサ等の位置検出器とを組み合せて用いることで、チルト駆動部６およびパン駆動部９の駆動制御を行うこともできる。
【００３０】
また、操作入力部４１からオペレータにより撮影ポジションのメモリ指令が入力されると、ＰＴＺ制御部４２は、その時点でのパン角度、チルト角度および撮影画角をひとまとまりのプリセット撮影ポジション情報（以下これを単にプリセット情報といい、該プリセット情報により示される撮影ポジションをプリセットアドレスという）として記憶部４４に記憶させる。なお、操作入力部４１からプリセット情報を構成するパン角度、チルト角度および撮影画角のアドレスを入力するようにしてもよい。
【００３１】
記憶部(モード記憶手段およびポジション記憶手段)４４は、半導体メモリやハードディスク又はこれらに準ずる電気的なデータ記録装置により構成されている。
【００３２】
そして、ＰＴＺ制御手部４２は、操作入力部４１からプリセットアドレスを指定する情報を含むポジション変更指令が入力されると、該プリセットアドレスに対応するプリセット情報を記憶部４４から呼び出して、撮影ポジションが該プリセットアドレスに移動するように、チルト駆動部６、パン駆動部９およびズーム駆動部２３を制御する。
【００３３】
さらに、ＰＴＺ制御手部４２は、アラーム装置４７と接続されており、アラーム装置４７からの入力があった場合には、予め記憶部４４に記憶されているアラーム対応プリセット情報を呼び出し、撮影ポジションが該アラーム対応プリセット情報に示されるプリセットアドレスに移動するように、チルト駆動部６、パン駆動部９およびズーム駆動部２３を制御する。
【００３４】
なお、ＰＴＺ制御部４２は、後述する撮影モード制御部４３に対して、プリセットアドレスへの移動開始を示すポジション移動開始情報と該移動先のプリセットアドレスを示すプリセット情報とが入力される。
【００３５】
撮影モード制御部(モード変更手段)４３は、フィルタ駆動部２６の状態をモニタすることで波長選択フィルタ２０および平行平面ガラス２１のどちらが撮影光路内に挿入されているのかを検出する。また、撮影モード制御部４３は、信号処理制御部３５によるＤＳＰ３３に対する色信号の生成制御状態をモニタしており、これにより画像がカラー画像として処理されているのかモノクロ画像として処理されているのかを判別する。
【００３６】
さらに、撮影モード制御部４３は、操作入力部４１からの撮影モード指定信号に対して、フィルタ駆動部２６を制御することで波長選択フィルタ２０および平行平面ガラス２１のどちらかを撮影光路内に挿入する。このとき、撮影モード指定信号がカラーモードを指定するものであれば、波長選択フィルタ２０を撮影光路内に挿入し、かつ信号処理制御部３５を介してＤＳＰ３３に色信号を生成させて画像信号出力部３４からカラービデオ信号(カラー画像)を出力させる。また、ナイトモードを指定するものであれば、平行平面ガラス２１を撮影光路内に挿入し、かつＤＳＰ３３における色信号の生成を停止させ、画像信号出力部３４からモノクロビデオ信号(モノクロ画像)を出力させる。これにより、撮影モードの切り換えを行う。
【００３７】
また、撮影モード制御部４３は、プリセットアドレス(撮影ポジション)ごとに操作入力部４１からオペレータにより入力された撮影モードを、該プリセットアドレスに対応付けて記憶部４４に保存する。なお、撮影モードは、撮影条件ともいう。
【００３８】
ここで、撮影モードをプリセットアドレス（プリセット情報）ごとに記憶させる方法の例を以下に説明する。まず、操作入力部（撮影範囲指定手段）４１に設けられた「撮影モード追記スイッチ」が操作されると、撮影モード制御部４３は「撮影モード追記モード」になる。そして、該追記モードで新たに操作入力部４１から入力されたプリセットアドレス又は選択された既存のプリセットアドレスと、操作入力部４１から入力された撮影モード指定信号に示される撮影モードとを対応付けて記憶部４４に記憶させる。
【００３９】
プリセット情報と撮影モード情報とを対応付けて記憶部４４に記憶させる方法としては、撮影モード情報にプリセット情報をヘッダー情報として付加したり、プリセット情報に撮影モード情報をヘッダー情報として付加したりすればよい。
【００４０】
さらに、撮影モード制御部４３は、ＰＴＺ制御部４２からポジション移動開始情報が入力されると、そのときに同じくＰＴＺ制御部４２から入力された移動先のプリセットアドレスを示すプリセット情報に基づいて、記憶部４４から該プリセット情報に対応する撮影モードを読み出し、該撮影モードへのモード変更を行う。
【００４１】
ここで、撮影モード制御部４３による撮影モードの変更のための制御は、ポジション移動開始情報が入力された直後から開始される。これにより、プリセットアドレスへの撮影ポジションの移動(変更)が開始されたとほぼ同時又はその直後から、言い換えれば、該変更動作中に開始される。
【００４２】
時計部４６は、現在の時刻情報を撮影モード制御部４３に入力する。
【００４３】
図５には、プリセットアドレスと撮影モードとの対応付け保存動作の流れを示している。この動作は、ＰＴＺ制御部４２および撮影モード制御部４３を含むコンピュータ又はプロセッサによりコンピュータプログラム(撮影制御プログラム)に従って実行される。このことは、後述する各フローチャートに示す動作についても同様である。
【００４４】
まず、オペレータが操作入力部４１から所望の撮影ポジションであるパン角度、チルト角度および撮影画角(又はズーム位置)を入力すると、ＰＴＺ制御部４２はチルト駆動部６、パン駆動部９およびズーム駆動部２３を駆動して撮影装置を上記撮影ポジションへ移動させる（ステップ〈図ではＳと略す〉５０１〜５０２）。
【００４５】
上記撮影ポジションへの移動後、オペレータが操作入力部４１からプリセットアドレスに対して付与されるアドレス番号をメモリ指令として入力すると（ステップ５０３）、撮影モード追記モードになっている場合であって操作入力部４１から撮影モードの指定が行われることに応じて（ステップ５０４〜５０５）、撮影モード制御部４３は、現在の撮影ポジションであるパン角度、チルト角度および撮影画角(又はズーム位置)をステップ５０３で入力されたアドレス番号に対応するプリセットアドレス(プリセット情報)とし、さらにこれとステップ５０５で入力された撮影モードとの対応付けを行う（ステップ５０６）。
【００４６】
そして、ＰＴＺ制御部４２は、現在の撮影ポジションであるパン角度、チルト角度および撮影画角(又はズーム位置)をプリセットアドレスとするプリセット情報を記憶部４４へ記憶させる。また、撮影モード制御部４３は、該プリセット情報とこれに対応付けられた撮影モード情報とを記憶部４４に記憶させる（ステップ５０７）。
【００４７】
一方、ステップ５０４において、撮影モード追記モードになっていない場合には、ＰＴＺ制御部４２は、現在の撮影ポジションであるパン角度、チルト角度および撮影画角(又はズーム位置)を、ステップ５０３で入力されたアドレス番号に対応するプリセットアドレス(プリセット情報)として記憶部４４へ記憶させる（ステップ５１０）。
【００４８】
そしてこの後に撮影モード追記モードになった場合には（ステップ５１１）、操作入力部４１を通じて指定されたアドレス番号に対応するプリセット情報を記憶部４４から呼び出す（ステップ５１２）。そして、操作入力部４１を通じて撮影モードの指定が行われれば（ステップ５０５）、ステップ５０６〜５０８にてプリセット情報と該撮影モードとを記憶部４４に記憶させる。
【００４９】
他のプリセット情報の保存を行う場合にはステップ５０２へ戻り（ステップ５０８）、そうでなければ本ルーチンを終了する。
【００５０】
図６には、記憶されたプリセットアドレス(撮影ポジション)への移動と撮影モードの変更動作の流れを示している。
【００５１】
オペレータが操作入力部４１から所望のアドレス番号を入力すると（ステップ６０２）、ＰＴＺ制御部４２は入力されたアドレス番号に対応するプリセット情報を記憶部４４から呼び出す（ステップ６０３）。
【００５２】
これに応じてＰＴＺ制御部４２は、チルト駆動部６、パン駆動部９およびズーム駆動部２３を駆動して撮影装置の該プリセット情報により示されるプリセットアドレスへの移動を開始する（ステップ６０４）。ＰＴＺ制御部４２は、撮影モード制御部４３に対してポジション移動開始情報と該プリセット情報を送る（ステップ６０５）。
【００５３】
ポジション移動開始情報を受け取った撮影モード制御部４３は、記憶部４４から該プリセット情報に対応する撮影モード情報を読み出し（ステップ６０６）、撮影モードの変更制御を開始する（ステップ６０７）。ここで、前述したように、撮影モードの変更制御は、少なくともプリセットアドレスへの移動中に開始される。
【００５４】
こうしてプリセットアドレスへの移動と撮影モードの変更が完了する（ステップ６０８）。なお、撮影モードの変更制御は、プリセットアドレスへの移動完了前、完了と同時又は完了後のいずれに終了してもよい。
【００５５】
さらに、撮影ポジションを他のプリセットアドレスに変更する場合には（ステップ６０９）、ステップ６０２へ戻り、そうでなければ本フローを終了する（ステップ６１０）。
【００５６】
図１５を用いて本実施例の具体的な動作例について説明する。プリセットアドレスＰ１は、照明７１により照明されたオフィス（室内）のデスク７２が撮影されるように設定されており、撮影モードは、十分な被写体の明るさがあるのでカラーモードに設定されている。撮影ポジションがプリセットアドレスＰ１以外のアドレスにあり、撮影モードがナイトモードである状態で、操作入力部４１によってプリセットアドレスＰ１が指定された場合、撮影ポジションがプリセットアドレスＰ１に移動する間にカラーモードへの変更が開始される。
【００５７】
また、プリセットアドレスＰ２では、被写体７３が夜間の屋外風景であり、被写体照度が低いので、より鮮明な画像を得るためにナイトモードが設定されている。操作入力部４１によりプリセットアドレスＰ１からＰ２へ変更が指示されると、プリセットアドレスＰ１からＰ２に撮影ポジションが移動する間にナイトモードへの切り換えが開始される。
【００５８】
また、プリセットアドレスＰ３は、プリセットアドレスＰ２での被写体７３の一部７４をズーム拡大したものに相当する。この場合、被写体７５は夜間の屋外風景であるが、イルミネーションによって比較的明るくなっているため、カラーモードが設定されている。操作入力部４１によりプリセットアドレスＰ２からＰ３へ変更が指示されると、プリセットアドレスＰ２からＰ３に撮影ポジションが移動する間にカラーモードへの切り換えが開始される。
【００５９】
また、プリセットアドレスＰ４では、暗い室内が撮影される。ここでは、該室内に侵入者７６があった場合について説明する。暗い室内において侵入者７５の画像を鮮明に捕らえるために、該プリセットアドレスＰ４では、ナイトモードが設定されている。例えば撮影ポジションがプリセットアドレスＰ１である状態で、侵入者７５の侵入をアラーム装置４５が検知し、撮影モード制御部４３にアラーム信号が入力されると、予め記憶部４４に記憶されているアラーム位置に対応するプリセットアドレスＰ４の情報に基づいて撮影ポジションがプリセットアドレスＰ４に移動し、該移動中にカラーモードからナイトモードへの切り換えが開始される。
【実施例２】
【００６０】
本実施例では、図４に示した時計部４６からの時刻情報を用いて、撮影モード制御部４３での撮影モード設定をより精度良く行う場合について説明する。なお、本実施例のシステムにおける撮影モード制御部４３以外の各構成部およびその動作は実施例１と同じである。
【００６１】
時計部４６は、１日毎に２４時間制の時刻情報を生成して撮影モード制御部４３に入力する。実施例１にて説明した「撮影モード追記モード」においてプリセット情報に対応した撮影モード情報が操作入力部４１から入力された場合、撮影モード制御部４３は、該プリセット情報と該撮影モード情報と該撮影モードの入力時に時計部４６から入力された時刻情報とを対応付けて記憶部４４に記憶させる。これにより、同じプリセットアドレスに対して、時刻に応じた複数の撮影モードを設定することが可能となる。
【００６２】
そして、撮影モード制御部４３は、ＰＴＺ制御部４２から入力されるポジション移動開始情報とプリセット情報（プリセットアドレス）とに基づいて、記憶部４４に保存された該プリセット情報に対応する複数の撮影モードを検索して読み出し、さらに時計部４６から入力された現在の時刻情報に応じた又は現在の時刻情報に対して以下のような関係を有する時刻情報に応じた撮影モードを選択して該撮影モードへの変更を行う。
【００６３】
ここで、時計部４６からの現在時刻情報に基づいて撮影モードを選択する方法の例を説明する。図７に示すように、プリセットアドレスＰｎに対応する撮影モードとして、それぞれ時刻情報Ｔ１、Ｔ２、Ｔ３、Ｔ４に対応付けられた４つの撮影モードが検索された場合、Ｔ１、Ｔ２、Ｔ３、Ｔ４の値の大きさを互いに比較して、Ｔ１＜Ｔ２＜Ｔ３＜Ｔ４のように時刻値の順位付けを行う。次に、時計部４６から入力された現在時刻Ｔｎと、Ｔ１、Ｔ２、Ｔ３、Ｔ４とを比較し、例えば、Ｔ１＜Ｔｎ＜Ｔ２である場合には、Ｔ１に対応する撮影モードであるカラーモードを選択する。同様に、Ｔ２＜Ｔｎ＜Ｔ３である場合には、Ｔ２に対応する撮影モードであるナイトモードを選択する。さらに、Ｔ３＜Ｔｎ＜Ｔ４である場合には、Ｔ３に対応する撮影モードであるカラーモードを選択する。また、Ｔｎ＜Ｔ１の場合には、最も大きいＴ４に対応する撮影モードであるナイトモードを選択する。
【００６４】
図８には、本実施例における撮影モードの選択動作のためのフローチャートを示す。まず、撮影モード制御部４３は、検索した複数の撮影モードのそれぞれに対応する時刻値群(以下、モード付帯時値群という)を相互に比較して、小さい時刻値から大きい時刻値へと整列させる（ステップ８０１〜８０２）。
【００６５】
次に、撮影モード制御部４３は、時計部４６から入力された現在の時刻値と上記モード付帯時刻値群とを比較する（ステップ８０３）。そして、現在時刻値のモード付帯時刻値群との大小関係を決定する（ステップ８０４）。
【００６６】
モード付帯時刻値群中に現在時刻値よりも小さな時刻値が存在する場合には（ステップ８０５）、現在時刻値の次に小さな時刻値を選択する（ステップ８０６）。モード付帯時刻値群中に現在時刻値よりも小さな時刻値が存在しない場合には、モード付帯時刻値群中で最大の時刻値を選択する（ステップ８０７）。
【００６７】
そして、ステップ８０６またはステップ８０７で決定されたモード付帯時刻値に対応する撮影モードを選択し（ステップ８０８）、本フローを終了する（ステップ８０９）。
【００６８】
図９には、プリセットアドレスと撮影モードと時刻情報との対応付け設定とこれらの保存動作の流れを示している。図９では、実施例１において図５で説明した動作中、ステップ５０５〜５０７に代わりステップ９０１〜９０４が適用される。その他は図５で述べた動作の流れに準ずる。
【００６９】
上記設定を開始するにあたり、オペレータにより操作入力部４１から所望の撮影ポジションであるパン角度、チルト角度、撮影画角(又はズーム位置)が入力されると、ＰＴＺ制御部４２は、チルト駆動部６、パン駆動部９およびズーム駆動部２３を駆動して撮影装置を上記撮影ポジションに移動させる（ステップ５０１〜５０２）。
【００７０】
該撮影ポジションに移動した後、オペレータにより操作入力部４１からプリセットアドレスに対して付与されるアドレス番号がメモリ指令として入力され（ステップ５０３）、撮影モード追記モードである場合において操作入力部４１より撮影モードと時計部４６からの時刻情報が入力されると（ステップ５０４、９０１〜９０２）、撮影モード制御部４３は、ステップ５０３で入力されたアドレス番号において、現在の撮影ポジションであるプリセットアドレス（プリセット情報）と、ステップ９０２で入力された時刻情報(時刻値)と、ステップ９０１で入力された撮影モードとの対応付けを行う（ステップ９０３）。
【００７１】
そして、ＰＴＺ制御部４２は、現在の撮影ポジションであるパン角度、チルト角度および撮影画角(又はズーム位置)を、ステップ９０３で入力されたアドレス番号に対応するプリセットアドレス(プリセット情報)として記憶部４４へ記憶させる。また、撮影モード制御部４３は、該プリセットアドレスおよび時刻値と対応付けられた撮影モード情報を記憶部４４に記憶させる（ステップ９０４）。
【００７２】
一方、ステップ５０４において撮影モード追記モードになっていない場合には、ＰＴＺ制御部４２は、現在の撮影ポジションであるパン角度、チルト角度および撮影画角(又はズーム位置)を、ステップ５０３で入力されたアドレス番号に対応するプリセットアドレス(プリセット情報)として記憶部４４へ記憶させる（ステップ５１０）。
【００７３】
この後、撮影モード追記モードになった場合には（ステップ５１１）、操作入力部４１において入力されたアドレス番号に対応するプリセットアドレス（プリセット情報）を記憶部４４から呼び出す（ステップ５１２）。そして、操作入力部４１において撮影モードの設定が行われれば（ステップ９０１）、上述したステップ９０２〜９０８の動作が行われる。
【００７４】
なお、さらに他のプリセットアドレスの保存（登録）を行う場合には、ステップ５０２へ戻る。そうでなければ、本設定ルーチンを終了する。
【００７５】
図１０には、本実施例におけるプリセットアドレスへの移動と撮影モードの変更動作の流れを示している。本実施例では、実施例１において図６で説明した動作に対して、ステップ６０６に代わりステップ１００１〜１００４が適用される。その他は図６で説明した動作の流れに準ずる。
【００７６】
オペレータが操作入力部４１から所望のアドレス番号を入力すると（ステップ６０２）、ＰＴＺ制御部４２は、入力されたアドレス番号に対応するプリセットアドレス(プリセット情報)を記憶部４４から呼び出す（ステップ６０３）。
【００７７】
ＰＴＺ制御部４２は、チルト駆動部６、パン駆動部９およびズーム駆動部２３を駆動して該プリセットアドレスへの移動を開始する（ステップ６０４）。また、ＰＴＺ制御部４２は、撮影モード制御部４３に対してポジション移動開始情報とプリセット情報とを入力する（ステップ６０５）。
【００７８】
ポジション移動開始情報を受けた撮影モード制御部４３は、記憶部４４に保存されている該プリセット情報に対応する撮影モード情報を検索する（ステップ１００１）。
【００７９】
そして、ステップ１００１では、検索された複数の撮影モードに対して、図８におけるステップ８０１〜８０９の処理を行い、最も適切な時刻情報に対応する撮影モードを選択する（ステップ１００３）。
【００８０】
続いて撮影モード制御部４３は、ステップ１００３で選択された撮影モードを記憶部４４より読み出し（ステップ１００４）、撮影モードの変更制御を開始する（ステップ６０７）。ここで、撮影モードの変更制御は、少なくともプリセットアドレスへの移動中に開始される。
【００８１】
こうしてプリセットアドレスへの移動と撮影モードの変更が完了する（ステップ６０８）。なお、撮影モードの変更制御は、プリセットアドレスへの移動完了前、完了と同時又は完了後のいずれに終了してもよい。
【００８２】
さらに、撮影ポジションを他のプリセットアドレスに変更する場合には（ステップ６０９）、ステップ６０２へ戻り、そうでなければ本フローを終了する（ステップ６１０）。
【実施例３】
【００８３】
上記各実施例では、カラーモードとナイトモードの２つの撮影モードの切り換えを行う場合について説明したが、本実施例では、３つの目の撮影モードとして、被写体の明るさを判定してカラーモードとナイトモードを自動的に変更するオートナイトモードを有する場合について説明する。なお、基本的なシステム構成は上記各実施例と同じであるので、ここでは本実施例の特徴的な事項についてのみ説明する。
【００８４】
本実施例では、撮影モード制御部４３は、信号処理制御部３５を介してＤＳＰ３３で生成される輝度信号の輝度値Ｙｏをモニタしている。また、撮影モード制御部４３は、被写体の明るさとして輝度値Ｙｏに対する所定の評価を行い、その結果に基づいて撮影モードの変更を行う。
【００８５】
ここで、輝度値Ｙｏに対する所定の評価の例を図１１を用いて説明する。図１１において、Ｙ１は、ナイトモードからカラーモードへの変更を行う場合の輝度値の閾値である。Ｙ２は、カラーモードからナイトモードへの変更を行う場合の輝度値の閾値である。両者の関係は、Ｙ１＞Ｙ２である。
【００８６】
６０は輝度値Ｙｏの変化の軌跡を示している。カラーモードで輝度値Ｙｏが低下して、６１においてＹ２に至ると、撮影モード制御部４３はカラーモードをナイトモードに変更する。さらに、ナイトモードで輝度値Ｙｏが増加し、６２においてＹ１に至ると、撮影モード制御部４３はナイトモードをカラーモードに変更する。
【００８７】
本実施例におけるプリセット情報、撮影モード情報および時刻情報の対応付け保存と該保存の動作の流れは基本的に実施例１，２の図５および図９と同じであり、それぞれにおけるステップ５０５およびステップ９０５において設定される撮影モードの選択枝が、カラーモード、ナイトモードおよびオートナイトモードになる点で実施例１，２と異なる。
【００８８】
図１２には、実施例２で説明した時刻情報を伴わない場合のプリセットアドレスへの移動と撮影モードの変更動作の流れを示している。図１２では、図６にて説明した各ステップのうち、ステップ６０７に代えてステップ１２０１〜１２０２が適用される。また、ステップ６０８と６０９との間にステップ１２０３〜１２０５が挿入されている。その他のステップは図６で説明した流れに準ずるものである。
【００８９】
操作入力部４１からオペレータ所望のアドレス番号が入力されると（ステップ６０２）、ＰＴＺ制御部４２は入力されたアドレス番号に対応するプリセット情報を記憶部４４から呼び出す（ステップ６０３）。そして、ＰＴＺ制御部４２は、チルト駆動部６、パン駆動部９およびズーム駆動部２３を駆動して該プリセットアドレスへの移動を開始する（ステップ６０４）。また、ＰＴＺ制御部４２は、撮影モード制御部４３へポジション移動開始情報と上記プリセット情報とを入力する（ステップ６０５）。
【００９０】
撮影モード制御部４３は、記憶部４４から該プリセット情報に対応する撮影モード情報を読み出す（ステップ６０６）。読み出した撮影モードがオートナイトモードである場合は（ステップ１２０１）、撮影モードの変更を行わずにプリセットアドレスへの移動を完了する（ステップ６０８）。また、プリセットアドレスへの移動完了後、撮影モードがオートナイトモードであれば（ステップ１２０３）、撮影モード制御部４３は被写体の明るさＹｏを判定し（ステップ１２０４）、カラーモードまたはナイトモードへの変更を行う（ステップ１２０５）。
【００９１】
一方、ステップ１２０１において、撮影モードデーターがオートナイトモードでない場合には、カラーモード又はナイトモードへの変更制御を行う（ステップ１２０２）。この場合、プリセットアドレスへの移動中に撮影モードの変更が開始される。そして、プリセットアドレスへの移動および撮影モードの変更が完了し（ステップ６０８）、ステップ１２０１において撮影モードデーターがオートナイトモードでないので、ステップ１２０４、１２０５をスキップする。
【００９２】
さらに他のプリセットアドレスへの移動を行う場合には（ステップ６０９）、ステップ６０２へ戻り、そうでなければ本フローを終了する（ステップ６１０）。
【００９３】
図１３には、本実施例において、実施例２のように時刻情報を伴う場合のプリセットアドレスへの移動と撮影モードの変更動作の流れを示している。
【００９４】
実施例２において図１０を用いて説明した動作の流れに対して、本実施例では、ステップ６０７に代わり上述したステップ１２０１、１２０２が適用され、ステップ６０８とステップ６０９との間に上出したステップ１２０３〜１２０５が挿入される。その他は図１０で述べた実施例２の動作の流れに準ずる。但し、Ｓ１００１において抽出される撮影モードは、図１４に示されるように、撮影モードとしてオートナイトモードが加わったものとなる。
【実施例４】
【００９５】
上記各実施例では、撮影モード制御部４３は、操作入力部４１からプリセットアドレスの指定情報の入力を受けたＰＴＺ制御部４２からポジション移動開始情報とプリセットアドレスの入力を受けて、記憶部４４から該プリセットアドレスに対応する撮影モードの検索および読み出しを行う場合について説明したが、操作入力部４１からプリセットアドレスの入力を直接受けて、該プリセットアドレスに対応する撮影モードの検索と読み出しを行うようにしてもよい。
【００９６】
この場合、図６および図１２に示したステップ６０２からはステップ６０６に進み、図１０および図１３に示したステップ６０２からはステップ１００１に進む。
【実施例５】
【００９７】
上記各実施例においては、カメラ本体１は光学的な変倍によって撮影ポジションの１つである撮影画角(撮影範囲)が変更される場合について説明したが、図１６に示すように、撮影範囲１００中の一部１０１を所謂電子ズームによって切り出して拡大することで、新たな撮影範囲１０２として指定することも可能である。
【００９８】
以上が本発明の実施例についての説明である。通常、ＰＴＺカメラのプリセットによる撮影ポジションの移動は高速であり、その間に得られる画像は高速で流れてしまい見辛いものである。また、オペレータは、原則的には、プリセットされた撮影ポジションでの撮影画像に対してのみ注意を払うので、撮影ポジションの移動中の撮影画像はあまり重要でない。このため、撮影ポジションの移動中の撮影画像に多少の画像欠損が生じても大きな支障はない。また、プリセットされた撮影ポジションでの被写体の明るさが、撮影ポジションがプリセットされたポジション間で巡回している間に急変することは希である。
【００９９】
そこで、本実施例においては、プリセットされた各撮影ポジションに対して、カラーモードやナイトモード等の撮影モードを対応付けて記憶しておき、撮影ポジションの移動中に移動先の撮影ポジションに対応する撮影モードへの切り換えを開始するようにしている。
【０１００】
また、上記実施例では、プリセットされた撮影ポジションでの明るさが、例えば日中と夜間で条件が変わる場合により適切に対応するため、撮影ポジションと時刻情報とに対して撮影モードを対応付けるようにしている。
【０１０１】
また、上記実施例では、プリセットされた撮影ポジションの中で、被写体の明るさが時刻によらず頻繁に変化する場合にも対応できるように、オートナイトモードを併せ持ち、該撮影ポジションにおいて被写体の明るさを判別して、撮影モードの切り換えが行えるようにしている。
【０１０２】
上記各実施例によれば、カラーモードとナイトモードを有し、被写体の明るさの連続的な時間的変化だけではなく、パン、チルト、ズーム等による撮影ポジションの移動に伴う被写体の明るさの変化により、頻繁な撮影モードの変更が行われる撮影装置において、以下の効果が得られる。
【０１０３】
（１）撮影モードの切り換えに伴う画像欠損状態を緩和し、また撮影ポジションの移動完了から素早く最適な画像を得ることができる。したがって、オペレータの負担を大幅に軽減できる。
【０１０４】
（２）時刻情報に応じた撮影モード制御をも行うことで、同一の撮影ポジションであっても時刻によって被写体の明るさが変化するような場合に、撮影モードの再設定の必要を回避したり、撮影モード設定の精度を高めたりすることができる。
【０１０５】
（３）さらに撮影モードの自動選択機能であるオートナイトモードを所望の撮影ポジションにおいて選択できるようにすることで、時刻変化以外の被写体の明るさの変化に対応して最適な画像を得ることが可能になる。さらに、頻繁に明るさが変化する被写体に対しても、撮影モードの頻繁な変更するためのオペレータ操作を不要とすることができる。
【０１０６】
なお、上記各実施例では、撮影ポジションをプリセットし、プリセットポジションへの移動に際して撮影モードを自動的に変更する場合について説明したが、本発明は、特にプリセットポジションへの移動に際してだけでなく、オペレータが任意に撮影ポジションを移動させているような場合にも、特定の撮影ポジションに移動する際に撮影モードが自動的に切り換わるようにしてもよい。
【０１０７】
さらに、上記各実施例では、撮影モードとして、カラーモードおよびナイトモード(さらにはオートナイトモード)を有する場合について説明したが、本発明は、これら以外の撮影モードを含む場合にも適用することができる。
【０１０８】
また、上記実施例から以下の発明も導くことができる。
（発明ａ）撮影装置の撮影光路に対して挿抜される透過波長選択手段および該透過波長選択手段を該撮影光路内へ挿入及び離脱させる挿脱手段を有する撮影装置と、
前記撮影装置の撮影する撮影範囲を変更する撮影範囲変更手段と、
該撮影範囲変更手段により変更される撮影範囲の中から撮影範囲を複数指定する撮影範囲指定手段と、
該撮影範囲指定手段により指定された複数の撮影範囲のそれぞれに対して、前記透過波長選択手段の前記撮影光路内への挿入または離脱の条件を設定する第１の設定手段と、
該第１の設定手段により設定された前記撮影範囲に対応する前記透過波長選択手段の前記撮影光路内への挿入または離脱の条件を撮影条件として記憶する第１の記憶手段と、
前記撮影範囲指定手段により指定された第１の撮影範囲から第２の撮影範囲に変更した場合に、前記第１の記憶手段に記憶された、該第１の撮影範囲に対応する第１撮影条件から該第２の撮影範囲に対応する第２撮影条件へ変更して、該第２撮影条件に基づいて前記挿脱手段を駆動する第１の駆動手段とを有することを特徴とする撮影制御システム。
（発明ｂ）発明ａにおいて、前記第１の撮影範囲から前記第２の撮影範囲への変更中に、前記第２撮影条件に基づいて前記挿脱手段を駆動する前記第１の駆動手段を有することを特徴とする。
（発明ｃ）発明ｂにおいて、前記第１の撮影範囲から前記第２の撮影範囲への変更中に、前記第２撮影条件に基づいて前記挿脱手段の駆動を完了する前記第１の駆動手段を有することを特徴とする。
（発明ｄ）発明ａにおいて、
時刻の情報を発生する時計手段と、
該時計手段の発生する時刻情報と前記撮影条件との関連付け(対応付け)を行う前記第１の設定手段と、
前記第１の設定手段により設定された前記撮影条件と前記時刻情報を及び前記撮影条件と前記時刻情報の関連づけを記憶する前記第１の記憶手段と、
前記撮影範囲指定手段により指定された前記第１の撮影範囲から前記第２の撮影範囲に変更した場合に、前記第１の記憶手段に記憶された、前記第２の撮影範囲に対応し且つ、複数の異なる時刻情報がそれぞれ関連する前記透過波長選択手段の前記撮影光路内への挿入または離脱に関する複数の第２撮影条件の中から、前記時計手段から入力される現在時刻に対して所定の関係を有する時刻情報と関係付けられた単一の第２撮影条件を選択する選択手段とを有することを特徴とする。
（発明ｅ）発明ｄにおいて、前記時計手段から入力される現在時刻の、前記複数の異なる時刻情報の中での現在時刻の順位を決定し、該現在時刻の順位の一つだけ下位の順位の時刻情報と関係付けられた前記単一の第２撮影条件を選択するか、または前記現在時刻の順位より下位の時刻情報が存在しない場合には前記複数の異なる時刻情報の中で最上位の時刻情報と関係付けられた前記単一の第２撮影条件を選択する前記選択手段を有することを特徴とする。
（発明ｆ）発明ａにおいて、前記撮影装置の撮影した画像信号に所定の処理を行い前記画像信号より輝度情報を生成して出力する輝度情報生成手段と、該輝度情報生成手段から入力された該輝度情報に対して所定の評価を行う輝度評価手段と、
該輝度評価手段の評価に基づいて前記挿脱手段に前記透過波長選択手段の前記撮影光路内への挿入または離脱を行わせる自動挿脱制御手段と、
前記撮影範囲指定手段により指定された複数の撮影範囲の個々に対して、前記透過波長選択手段の前記撮影光路内への挿入または離脱または前記自動挿脱制御手段の使用の条件を撮影条件として設定する前記第１の設定手段とを有することを特徴とする。
（発明ｇ）発明ｆにおいて、前記第１の撮影範囲から前記第２の撮影範囲が変更された場合、前記第２撮影条件が前記自動挿脱制御手段の使用をすることになっている場合には、前記第１の撮影範囲から前記第２の撮影範囲への変更完了後に前記自動挿脱制御手段によって、前記挿脱手段に前記透過波長選択手段の前記撮影光路内への挿入または離脱を行わせ、前記第２撮影条件に基づいて前記第１の撮影範囲から前記第２の撮影範囲への変更中に前記挿脱手段の駆動を完了する前記第１の駆動手段を有することを特徴とする。
（発明ｈ）発明ａ〜ｇにおいて、前記撮影装置の撮影した画像信号に所定の処理を行い、前記画像信号より輝度情報とカラー情報を生成して出力する画像情報生成手段と、前記透過波長選択手段の前記撮影光路内へ挿入または離脱のそれぞれの条件に対応して前記カラー情報の生成又は出力を許可又は禁止する制御を前記画像情報生成手段に対して行う画像情報生成制御手段を有することを特徴とする。
【図面の簡単な説明】
【０１０９】
【図１】本発明の実施例１における撮影装置の斜視図。
【図２】実施例１におけるカメラ本体の構成図。
【図３】実施例１における画像信号処理部の構成図。
【図４】実施例１におけるカメラ制御部の構成図。
【図５】実施例１におけるカメラ制御部の動作を示すフローチャート。
【図６】実施例２におけるカメラ制御部の動作を示すフローチャート。
【図７】本発明の実施例２における撮影モードを示す図。
【図８】実施例２におけるカメラ制御部の動作を示すフローチャート。
【図９】実施例２におけるカメラ制御部の動作を示すフローチャート。
【図１０】実施例２におけるカメラ制御部の動作を示すフローチャート。
【図１１】オートナイトモードでの動作を説明するための図。
【図１２】本発明の実施例３におけるカメラ制御部の動作を示すフローチャート。
【図１３】実施例３におけるカメラ制御部の動作を示すフローチャート。
【図１４】実施例３における撮影モードを示す図。
【図１５】実施例１における使用例を示す図。
【図１６】デジタルズームの説明図。
【符号の説明】
【０１１０】
１  カメラ本体
２  チルト基台
４  パン基台
１５  撮影レンズ
３０  信号処理部
４０  カメラ制御部
４２  ＰＺＴ制御部
４３  撮影モード制御部
４４  記憶部
【図１】
2006148353.tif 000003
【図２】
2006148353.tif 000004
【図３】
2006148353.tif 000005
【図４】
2006148353.tif 000006
【図５】
2006148353.tif 000007
【図６】
2006148353.tif 000008
【図７】
2006148353.tif 000009
【図８】
2006148353.tif 000010
【図９】
2006148353.tif 000011
【図１０】
2006148353.tif 000012
【図１１】
2006148353.tif 000013
【図１２】
2006148353.tif 000014
【図１３】
2006148353.tif 000015
【図１４】
2006148353.tif 000016
【図１５】
2006148353.tif 000017
【図１６】
2006148353.tif 000018